(57)【要約】【課題】特許文献１のシステムでは、被害者は、実際にストーカーが後をつけてきており、直近に危険が迫ってきているのかまで知ることができないという課題があった。【解決手段】システムは、複数の移動端末と制御装置が接続され、前記制御装置は、接続する第１及び第２の移動端末につき、ハンドオーバ前後の所属セルに各々対応する事前及び事後識別セル情報を記憶する更新記憶部と、第１の移動端末に対してハンドオーバ制御が実施されてから、所定の時間より短い時間後れて第２の移動端末に対してハンドオーバ制御が実施された場合、更新記憶部から読み出された事前及び事後識別セル情報の各々が第１及び第２の移動端末につき一致しているとき、第１の移動端末に所定の危険信号を送信する判定通知部と、を備える装置であり、上述の第１の移動端末は、前記危険信号が入力されると、つけられていることを保持者に知らせる所定の処理を行う端末である。【選択図】      図１４
2016066931.tif 000002
【特許請求の範囲】
【請求項１】
接続する第１及び第２の移動端末につき、ハンドオーバ前後の所属セルに各々対応する事前及び事後識別セル情報を記憶する更新記憶部と、
前記第１の移動端末に対してハンドオーバ制御が実施されてから、所定の時間より短い時間後れて前記第２の移動端末に対してハンドオーバ制御が実施された場合、前記更新記憶部から読み出された前記事前及び事後識別セル情報の各々が前記第１及び第２の移動端末につき一致しているとき、前記第１の移動端末に所定の危険信号を送信する判定通知部と、を備える、
ことを特徴とする制御装置。
【請求項２】
前記更新記憶部は、前記ハンドオーバ制御が実施されると、ハンドオーバ制御対象の前記移動端末に関連して、ハンドオーバ先セルに対応する所定の第１のセル識別子と、ハンドオーバ元セルに対応する所定の第２のセル識別子と、を記憶し、
前記判定通知部は、前記第１の移動端末に対して前記ハンドオーバ制御が実施された後、前記所定の時間以内に前記第２の移動端末に対して前記ハンドオーバ制御が実施されたとき、前記更新記憶部に記憶される、前記第１の移動端末に関連する前記第１のセル識別子及び前記第２のセル識別子と、前記第２の移動端末に関連する前記第１のセル識別子及び前記第２のセル識別子と、が同じである場合には、前記第１の移動端末に前記所定の危険信号を出力する、
ことを特徴とする請求項１に記載の制御装置。
【請求項３】
前記更新記憶部は、更新部と記憶部を備え、
前記更新部は、前記ハンドオーバ制御が実施されると、前記ハンドオーバ制御対象の前記移動端末を示す前記端末識別子と、前記所定の第１のセル識別子と、を出力し、
前記記憶部は、入力された前記端末識別子に対応づけて記憶する前記第１のセル識別子を前記第２のセル識別子とし、入力された前記端末識別子、入力された前記第１のセル識別子、及び前記第２のセル識別子を対応づけて記憶し、
前記判定通知部は、前記記憶部に記憶される、前記第１の移動端末の前記端末識別子に関連する前記第１のセル識別子及び前記第２のセル識別子と、前記第２の移動端末の前記端末識別子に関連する前記第１のセル識別子及び前記第２のセル識別子と、が同じである場合には、前記第１の移動端末に対し、前記危険信号を出力する、
ことを特徴とする請求項２に記載の制御装置。
【請求項４】
前記判定通知部は、第３の端末に対しても、前記所定の危険信号を出力する、
ことを特徴とする請求項１乃至３のいずれか１項に記載の制御装置。
【請求項５】
前記危険信号は、前記第１の端末の保持者が前記第２の端末の保持者につけられていることを示す信号である、
ことを特徴とする請求項１乃至４のいずれか１項に記載の制御装置。
【請求項６】
複数の移動端末と制御装置が接続され、
前記制御装置は、請求項１乃至５のいずれか１項に記載の装置であり、
前記第１の移動端末は、前記危険信号が入力されると、つけられていることを保持者に知らせる所定の処理を行う端末である、
ことを特徴とする追従者検知システム。
【請求項７】
前記第１の移動端末は、前記危険信号が入力されると、所定の音を発する端末である、
ことを特徴とする請求項５に記載の追従者検知システム。
【請求項８】
接続する第１及び第２の移動端末につき、ハンドオーバ前後の所属セルに各々対応する事前及び事後識別セル情報を記憶する更新記憶ステップと、
前記第１の移動端末に対してハンドオーバ制御が実施されてから、所定の時間より短い時間後れて前記第２の移動端末に対してハンドオーバ制御が実施された場合、前記更新記憶ステップにて記憶した前記事前及び事後識別セル情報の各々が前記第１及び第２の移動端末につき一致しているとき、前記第１の移動端末に所定の危険信号を送信する判定通知ステップと、を有する、
ことを特徴とする追従者検知方法。
【請求項９】
更新記憶ステップは、前記ハンドオーバ制御が実施されると、ハンドオーバ制御対象の前記移動端末に関連して、ハンドオーバ先セルに対応する所定の第１のセル識別子と、ハンドオーバ元セルに対応する所定の第２のセル識別子と、を記憶し、
前記判定通知ステップは、前記第１の移動端末に対して前記ハンドオーバ制御が実施された後、前記所定の時間以内に前記第２の移動端末に対して前記ハンドオーバ制御が実施されたとき、前記更新記憶ステップにて記憶した、前記第１の移動端末に関連する前記第１のセル識別子及び前記第２のセル識別子と、前記第２の移動端末に関連する前記第１のセル識別子及び前記第２のセル識別子と、が同じである場合には、前記第１の移動端末に前記所定の危険信号を出力する、
ことを特徴とする請求項８に記載の追従者検知方法。
【請求項１０】
前記更新記憶ステップは、更新ステップと記憶ステップを有し、
前記更新ステップは、前記ハンドオーバ制御が実施されると、前記ハンドオーバ制御対象の前記移動端末を示す前記端末識別子と、前記所定の第１のセル識別子と、を出力し、
前記記憶ステップは、入力された前記端末識別子に対応づけて記憶する前記第１のセル識別子を前記第２のセル識別子とし、入力された前記端末識別子、入力された前記第１のセル識別子、及び前記第２のセル識別子を対応づけて記憶し、
前記判定通知ステップは、前記記憶ステップで記憶した、前記第１の移動端末の前記端末識別子に関連する前記第１のセル識別子及び前記第２のセル識別子と、前記第２の移動端末の前記端末識別子に関連する前記第１のセル識別子及び前記第２のセル識別子と、が同じである場合には、前記第１の移動端末に前記危険信号を出力する、
ことを特徴とする請求項９に記載の追従者検知方法。
【発明の詳細な説明】
【技術分野】
【０００１】
本発明は、制御装置、追従者検知方法に関し、特に、特定の端末の移動を管理する制御装置、追従者検知方法に関する。
【背景技術】
【０００２】
近年、ストーカーによる事件が多発している。例えば、ストーカーにより、その被害者である女性が刃物で刺殺され、殺害される事件が発生している。
【０００３】
しかし、ストーカー被害者は、ストーカーの行動を事前に知る術がない為に、身に危険が迫ってきているのか必ずしも分からず、事件を回避することができないという課題があった。
【０００４】
上述の課題に関連するシステムが、以下の特許文献１に開示されている。
【０００５】
特許文献１の通信システムは、フェムト基地局とユーザ端末を備える。フェムト基地局は、ユーザ端末の在圏変化（具体的には、自身に備わるフェムトセルにユーザ端末が在圏したこと）を検知したときには、所定の通知先に在圏変化を通知する。
【０００６】
上述の構成や動作の通り、特許文献１の通信システムは、特定の端末がフェムト基地局のフェムトセルに在圏したときには、在圏したことを所定の通知先に通知することができる。
【０００７】
特定の端末がストーカーの持つ端末で、所定の通知先が被害者の端末であるときには、特許文献１の通信システムは、フェムト基地局のフェムトセルにストーカーの端末が在圏することを、被害者の端末に通知することができる。その結果、被害者は、フェムト基地局の設置場所周辺にストーカーが位置することを知ることができる。
【先行技術文献】
【特許文献】
【０００８】
【特許文献１】国際公開第２０１２／０２６０８６号
【発明の概要】
【発明が解決しようとする課題】
【０００９】
しかし、特許文献１の通信システムでは、ストーカー被害者は、ストーカーが自分の後をつけてきているのかどうか、すなわち、危険が身に迫ってきているのかどうかを知ることができないという課題があった。
【００１０】
なぜなら、特許文献１の通信システムは、単に、ストーカーの端末がフェムトセルに在圏することを通知するだけであるからである。その為、ストーカー被害者は、単にフェムト基地局周辺にストーカーがいることしか分からず、実際にストーカーが自分の後をつけてきているのかどうかは分からなかった。その結果、特許文献１の通信システムでは、ストーカー被害者は、危険が身に迫ってきているのか知ることができないという課題があった。
【００１１】
本発明は、上記課題を解決する制御装置、追従者検知方法を提供することを目的とする。
【課題を解決するための手段】
【００１２】
上記目的を達成するために、本発明の制御装置は、接続する第１及び第２の移動端末につき、ハンドオーバ前後の所属セルに各々対応する事前及び事後識別セル情報を記憶する更新記憶部と、前記第１の移動端末に対してハンドオーバ制御が実施されてから、所定の時間より短い時間後れて前記第２の移動端末に対してハンドオーバ制御が実施された場合、前記更新記憶部から読み出された前記事前及び事後識別セル情報の各々が前記第１及び第２の移動端末につき一致しているとき、前記第１の移動端末に所定の危険信号を送信する判定通知部と、を備える。
【００１３】
上記目的を達成するために、本発明のシステムは、複数の移動端末と制御装置が接続され、前記制御装置は、接続する第１及び第２の移動端末につき、ハンドオーバ前後の所属セルに各々対応する事前及び事後識別セル情報を記憶する更新記憶部と、前記第１の移動端末に対してハンドオーバ制御が実施されてから、所定の時間より短い時間後れて前記第２の移動端末に対してハンドオーバ制御が実施された場合、前記更新記憶部から読み出された前記事前及び事後識別セル情報の各々が前記第１及び第２の移動端末につき一致しているとき、前記第１の移動端末に所定の危険信号を送信する判定通知部と、を備える装置であり、前記第１の移動端末は、前記危険信号が入力されると、つけられていることを保持者に知らせる所定の処理を行う端末である。
【００１４】
上記目的を達成するために、本発明の追従者検知方法は、接続する第１及び第２の移動端末につき、ハンドオーバ前後の所属セルに各々対応する事前及び事後識別セル情報を記憶する更新記憶ステップと、前記第１の移動端末に対してハンドオーバ制御が実施されてから、所定の時間より短い時間後れて前記第２の移動端末に対してハンドオーバ制御が実施された場合、前記更新記憶ステップにて記憶した前記事前及び事後識別セル情報の各々が前記第１及び第２の移動端末につき一致しているとき、前記第１の移動端末に所定の危険信号を送信する判定通知ステップと、を有する。
【発明の効果】
【００１５】
本発明によれば、ストーカー被害者は、ストーカーが自分の後をつけてきていることが分かり、危険が身に迫っていることを知ることができる。その結果、ストーカー被害者は、近くの交番に駆け込む等の行動を起こすことができ、ストーカー事件を回避することができる。
【図面の簡単な説明】
【００１６】
【図１】本発明の第１の実施の形態におけるシステムの構成例を示す図である。
【図２】本発明の第１の実施の形態におけるシステムに備わる制御装置の構成例を示す図である。
【図３】本発明の第１の実施の形態におけるシステムに備わる制御装置に設定された通知先の電話番号とメールアドレスの一例を示した図である。
【図４】本発明の第１の実施の形態におけるシステムに備わる制御装置が記憶する移動情報テーブルの一例を示した図である。
【図５】本発明の第１の実施の形態におけるシステムの動作概要を説明する為の図である。
【図６】本発明の第１の実施の形態におけるシステムが動作した後（位置登録処理を行った後）の移動情報テーブルの一例を示した図である。
【図７】本発明の第１の実施の形態におけるシステムが動作した後（ストーカー被害者の端末にハンドオーバ制御をした後）の移動情報テーブルの一例を示した図である。
【図８】本発明の第１の実施の形態におけるシステムが動作した後（ストーカーの端末にハンドオーバ制御した後）の移動情報テーブルの一例を示した図である。
【図９】本発明の第１の実施の形態におけるシステムの動作詳細（位置登録処理時の動作詳細）を説明する為の図である。
【図１０】本発明の第１の実施の形態におけるシステムの動作詳細（各端末にハンドオーバ制御したときの動作詳細）を説明する為の図である。
【図１１】本発明の第１の実施の形態におけるシステムの動作詳細（ストーカー被害者の端末後にストーカーの端末がハンドオーバしたのか否かを判別する動作の詳細）を説明する為の図である。
【図１２】本発明の第１の実施の形態におけるシステムの動作詳細（危険が迫っていることをストーカー被害者に通知する動作の詳細）を説明する為の図である。
【図１３】本発明の第１の実施の形態におけるシステムのその他の構成例を示す図である。
【図１４】本発明の第２の実施の形態におけるシステムの構成例を示す図である。
【発明を実施するための形態】
【００１７】
次に本発明の実施形態について、図面を参照して詳細に説明する。なお、ストーカー被害者は、以下、単に「被害者」という。
【００１８】
≪第１の実施の形態≫
[概要]
本発明の第１の実施の形態におけるシステムは、被害者の端末がハンドオーバし、その後、ストーカーの端末もハンドオーバしたとき、ストーカーの端末が、被害者の端末と（同じハンドオーバ元セルから）同じハンドオーバ先のセルにハンドオーバしたのか判別する。ストーカーの端末が被害者の端末と（同じハンドオーバ元セルから）同じハンドオーバ先セルにハンドオーバしていた場合には、ストーカーは被害者をつけているので、本実施形態のシステムは、被害者の端末に対し、所定の危険信号を出力する。上述の所定の危険信号は、危険が迫っていることを知らせる為の信号である。危険信号が入力された被害者の端末は、ストーカーが後をつけており、危険が迫っていることを音声等で被害者に伝える。被害者は、ストーカーが自分の後をつけてきていることを知り、危険が迫っていることを知ることができるので、近くの交番に駆け込む等によりストーカー事件を回避できる。
【００１９】
上述の動作を実現する為の本実施形態のシステムの構成や機能、動作について、以下に説明する。
【００２０】
［構成の説明］
まず、本発明の第１の実施の形態におけるシステムの構成について説明する。図１は、本発明の第１の実施の形態におけるシステムの構成例を示す図である。
【００２１】
（１）本発明の第１の実施の形態におけるシステムの構成
本実施形態のシステムは、移動通信システムであり、図１に示されるように、制御装置１０と、基地局２０、３０と、端末４０、５０と、移動体通信網６０と、を備える。
【００２２】
制御装置１０は、基地局２０、３０や移動体通信網６０と有線回線を介して接続される。また、端末４０、５０は、自身が在圏するセルの基地局２０と無線回線を介して接続されている。
【００２３】
（２）端末４０、５０の機能
端末４０、５０は、一般的なスマートフォンやフューチャーフォンであり、３ＧＰＰ（３ｒｄ  Ｇｅｎｅｒａｔｉｏｎ  Ｐａｒｔｎｅｒｓｈｉｐ  Ｐｒｏｊｅｃｔ）に準拠して動作する。
【００２４】
但し、端末５０は、危険が迫っていることを示す危険信号が入力されると、ストーカーにつけられていることを保持者に知らせる所定の処理を行う。所定の処理は、「ストーカーがついてきています。危険です。避難して下さい」というメッセージを音として流す処理であってもよい。
【００２５】
端末５０は、被害者の保持する端末（以下、「被害者の端末」という）であり、端末４０は、ストーカーの保持する端末（以下、「ストーカーの端末」という）である。
【００２６】
（３）基地局２０、３０や移動体通信網６０の機能
基地局２０、３０は、一般的な基地局であり、３ＧＰＰに準拠して動作する。
【００２７】
移動体通信網６０は、移動体通信システムに備わる一般的なコアネットワークであり、３ＧＰＰに準拠して動作して公衆網（図示せず）と接続する。
【００２８】
（４）制御装置１０の機能
（４−１）制御装置１０の周知の機能
制御装置１０は、３ＧＰＰに準拠して端末４０、５０を制御する装置である。具体的には、制御装置１０は、端末４０、５０に対してハンドオーバ制御や、端末４０、５０の位置登録処理を行う。制御装置１０は、ＲＮＣ（Ｒａｄｉｏ  Ｎｅｔｗｏｒｋ  Ｃｏｎｔｒｏｌｌｅｒ）であってもよい。
【００２９】
（４−２）制御装置１０の機能
また、制御装置１０は、上述の周知の機能以外に、以下の（ｉ）〜（ｉｖ）の４つの機能を備える。
【００３０】
（ｉ）端末４０、５０がハンドオーバすると（具体的には、端末４０、５０に対してハンドオーバ制御を行うと）、該端末４０、５０毎に、ハンドオーバ元セルを示す識別子と、ハンドオーバ先セルを示す識別子を記憶する機能。
【００３１】
（ｉｉ）ストーカーの端末４０が被害者の端末５０の後にハンドオーバしたこと（以下、「追従してハンドオーバしたこと」という）を検出する機能。
【００３２】
（ｉｉｉ）追従してハンドオーバしたことを上述の（ｉｉ）において検出すると、（上述の（ｉ）で記憶した）ストーカーの端末４０のハンドオーバ元セルを示す識別子及びハンドオーバ先セルを示す識別子が、被害者の端末５０のそれと同じであるか判別する機能。
【００３３】
上述の「それ」とは、（上述の（ｉ）で記憶した）ハンドオーバ元セルを示す識別子及びハンドオーバ先セルを示す識別子のことである。
【００３４】
（ｉｖ）（ｉｉｉ）で同じと判別される場合には、ストーカー（の端末）が被害者（の端末）の後をついていっているので、被害者の端末５０（所定の通知先）に対し、危険が迫っていることを示す危険信号を出力する機能。
【００３５】
また、制御装置１０は、以下の（ｖ）の機能も備えてもよい。
【００３６】
（ｖ）端末４０、５０が周知の位置登録処理を行うと、位置登録を行った該端末４０、５０毎に、在圏するセルを示す識別子を、ハンドオーバ元セルを示す識別子として記憶する機能。
【００３７】
（５）制御装置１０の構成
（５−１）制御装置１０の構成
制御装置１０は、上述の「（４）制御装置１０の機能」を実現する為に、４つの記憶部と６つの処理部を備える。図２は、本発明の第１の実施の形態におけるシステムに備わる制御装置１０の構成例を示す図である。
【００３８】
上述の４つの記憶部とは、図２に示されるように、被害者端末登録部１００と、追従者端末登録部１０１と、通知先番号登録部１０２と、移動情報記憶部１０３である。６つの処理部とは、通信部１０４と、移動情報更新部１０５と、タイマ部１０６と、移動判定部１０７と、メール送信部１０８と、音声ガイダンス部１０９である。
【００３９】
各機能部の機能や動作については、後述の[動作の説明]にて説明するが、上述の４つの記憶部には、いくつかの情報が設定されていることが前提となる。４つの記憶部に設定される情報について以下に説明しておく。
【００４０】
（５−２）４つの記憶部に設定される情報
（５−２−１）被害者端末登録部１００、追従者端末登録部１０１について
被害者端末登録部１００には、端末５０（被害者の端末）のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）が設定される。
【００４１】
また、追従者端末登録部１０１には、端末４０（ストーカーの端末）のＩＭＳＩが設定される。
【００４２】
上述の各ＩＭＳＩは、本実施形態のシステムの管理者によって、被害者端末登録部１００と追従者端末登録部１０１に設定される。
【００４３】
本実施形態のシステムの管理者は、（不安を覚えている被害者から相談を受けた）警察から、被害者とストーカーが誰なのかを提示してもらって、被害者とストーカーの各端末のＩＭＳＩを設定してもよい。本実施形態のシステムの管理者は、システムを利用する端末のＩＭＳＩを管理している。なお、上述の被害者端末登録部１００と追従者端末登録部１０１は、設定されたＩＭＳＩを記憶する。
【００４４】
（５−２−２）通知先番号登録部１０２について
図３は、制御装置１０の通知先番号登録部１０２に設定された通知先の電話番号とメールアドレスの一例を示した図である。
【００４５】
通知先番号登録部１０２には、図３に示されるように、被害者に危険が迫っていることを知らせる通知先の電話番号とメールアドレスが設定される。
【００４６】
上述の電話番号とメールアドレスは、本実施形態のシステムの管理者によって、通知先番号登録部１０２に設定される。通知先番号登録部１０２は、設定された電話番号とメールアドレスを記憶する。
【００４７】
上述の「通知先の電話番号とメールアドレス」は、被害者の端末５０の電話番号とメールアドレスを含むが、その他、警察の電話番号（１１０番）とメールアドレス等も含まれていてもよい。
【００４８】
（５−２−３）移動情報記憶部１０３について
移動情報記憶部１０３は、データベースであって、移動情報テーブルを保持する。図４は、本実施形態の制御装置が記憶する移動情報テーブルの一例を示した図である。
【００４９】
上述の移動情報テーブルとは、図４に示されるように、端末を示す端末識別子（ＩＭＳＩ）と、該端末が現在、在圏するセルを示すセルＩＤ（Ｉｄｅｎｔｉｆｉｃａｔｉｏｎ）と、該端末が１つ前に在圏したセルを示すセルＩＤと、が関連づけられる表である。
【００５０】
後述の「（２−２）変更した後の移動情報テーブルについて」で説明するが、上述の「現在、在圏するセルを示すセルＩＤ」は、ハンドオーバ先のセルを示す識別子に相当し、上述の「１つ前に在圏したセルを示すセルＩＤ」は、ハンドオーバ元のセルを示す識別子に相当することとなる。
【００５１】
移動情報テーブルは、移動情報更新部１０５によって設定される。
【００５２】
（５−３）実現手段について
上述の被害者端末登録部１００、追従者端末登録部１０１、及び通知先番号登録部１０２は、ＲＡＭ（Ｒａｎｄｏｍ  Ａｃｃｅｓｓ  Ｍｅｍｏｒｙ）等のメモリを用いて実現することができる。移動情報記憶部１０３は、一般的なデータベースを用いて実現することができる。
【００５３】
上述の通信部１０４は、電子回路とＦＰＧＡ（Ｆｉｅｌｄ−Ｐｒｏｇｒａｍｍａｂｌｅ  Ｇａｔｅ  Ａｒｒａｙ）、ＤＳＰ（Ｄｉｇｉｔａｌ  Ｓｉｇｎａｌ  Ｐｒｏｃｅｓｓｏｒ）を用いて実現することができる。移動情報更新部１０５、タイマ部１０６、移動判定部１０７は、ＲＡＭ等のメモリ、電子回路、ＣＰＵ（Ｃｅｎｔｒａｌ  Ｐｒｏｃｅｓｓｉｎｇ  Ｕｎｉｔ）を用いて実現することができる。
【００５４】
さらに、メール送信部１０８は、電子回路と一般的なメーラーを用いて実現することができる。音声ガイダンス部１０９は、メモリと電子回路を用いて実現することができる。
【００５５】
［動作の説明］
（動作の概略説明）
本実施形態におけるシステムは、以下の５つの動作（動作１〜動作５）を行う。
【００５６】
図５は、本実施形態におけるシステムの動作概要を説明する為の図である。図６〜図８は、本実施形態におけるシステムが各動作を行った後の移動情報テーブルの一例を示した図である。
【００５７】
（１）動作１（端末４０、５０が位置登録したときの動作）
本実施形態のシステムは、図５に示されるように、端末４０、５０が基地局２０配下のセルＡに在圏し、周知の位置登録処理を行うと、該端末を示す端末識別子と、該端末が在圏するセルＡを示すセルＩＤと、を移動情報テーブルに登録する。
【００５８】
登録の際、本実施形態のシステムは、上述の「セルＡを示すセルＩＤ」を、図６に示されるように、「現在、在圏するセルを示すセルＩＤ」に登録する。
【００５９】
なお、本実施形態のシステムは、上述の「端末を示す端末識別子」と「セルＡを示すセルＩＤ」を、図５（動作１部分）に示されるように、端末４０、５０が位置登録処理を行ったときに送信する周知の位置登録メッセージから取得して登録する。
【００６０】
（２）動作２（被害者の端末５０にハンドオーバ制御したときの動作）
（２−１）移動情報テーブル変更動作
ハンドオーバは、以下、「ＨＯ」と記載する。
【００６１】
本実施形態のシステムは、図５（動作２記載部分）に示されるように、被害者の端末５０に対してセルＡからセルＢへのＨＯ制御を実施したとき、移動情報テーブルを以下のように変更する。
【００６２】
・本実施形態のシステムは、図６に示される移動情報テーブルにおいて、端末５０を示す端末識別子（ＩＭＳＩ）に関連する「現在、在圏するセルを示すセルＩＤ」（セルＡを示すセルＩＤ）を、「１つ前に在圏したセルを示すセルＩＤ」に登録する。
【００６３】
・次に、本実施形態のシステムは、端末５０を示す端末識別子（ＩＭＳＩ）に関連する「現在、在圏するセルを示すセルＩＤ」に、ＨＯ先のセルＢを示すセルＩＤを登録する。
【００６４】
（２−２）変更した後の移動情報テーブルについて
上述の「（２−１）移動情報テーブル変更動作」を本実施形態のシステムが実施した結果、移動情報テーブルは、図７に示される通りとなる。すなわち、端末５０を示す端末識別子（ＩＭＳＩ）に関連する「現在、在圏するセルを示すセルＩＤ」には、（ＨＯ先のセルである）セルＢを示すセルＩＤが登録される。また、端末５０を示す端末識別子（ＩＭＳＩ）に関連する「１つ前に在圏したセルを示すセルＩＤ」には、（ＨＯ元のセルである）セルＡを示すセルＩＤが登録される。
【００６５】
（２−３）時間計測動作
さらに、本実施形態のシステムは、上述の移動情報テーブル変更動作後、自身に備わる計時機能によって、時間の計測を開始する。計測する時間は、後述の動作４で使用される。
【００６６】
（３）動作３（ストーカーの端末４０にハンドオーバ制御したときの動作）
（３−１）移動情報テーブル変更動作
次に、本実施形態のシステムは、図５（動作３記載部分）に示されるように、ストーカーの端末４０に対してセルＡからセルＢへのＨＯ制御を実施したときにも、上述の「（２−１）移動情報テーブル変更動作」を行う。
【００６７】
（３−２）移動情報テーブル変更動作を実施した結果
上述の「（３−１）移動情報テーブル変更動作」を実施した結果、移動情報テーブルは、図８に示される通りとなる。すなわち、端末４０を示す端末識別子（ＩＭＳＩ）に関連する「現在、在圏するセルを示すセルＩＤ」には、（ＨＯ先のセルである）セルＢを示すセルＩＤが登録される。また、端末４０を示す端末識別子（ＩＭＳＩ）に関連する「１つ前に在圏したセルを示すセルＩＤ」には、（ＨＯ元のセルである）セルＡを示すセルＩＤが登録される。
【００６８】
（３−３）端末４０のＨＯ通知動作
次に、本実施形態のシステムは、ストーカーの端末４０がＨＯしたことを示す信号（ストーカーＨＯ信号）を自身に入力する。
【００６９】
（４）動作４（ストーカーの端末４０が被害者の端末５０の後についてハンドオーバしたのかを判別する動作）
次に、本実施形態のシステムは、ストーカーの端末４０が被害者の端末５０の後についてハンドオーバしたのか否かを判別する。
【００７０】
動作４（上述の判別）は、以下の（動作Ａ）〜（動作Ｃ）の３つの動作に分けて実現される。
【００７１】
（動作Ａ）まず、本実施形態のシステムは、被害者の端末５０→ストーカーの端末４０の順にＨＯ制御を実施したか否かを判別する。具体的には、本実施形態のシステムは、動作２以降計測している時間（被害者の端末５０にＨＯ制御してからの時間）が所定時間を経過するまでに、ストーカーＨＯ信号（ストーカーの端末４０にＨＯ制御したときに生成）が自身に入力されたか否か判別する。
【００７２】
（動作Ｂ）次に、本実施形態のシステムは、順にＨＯ制御を実施していた場合には、以下の（動作Ｃ）を実施する。本実施形態のシステムは、順にＨＯ制御を実施していなかった場合には、何もせず、次に上述の動作１〜動作３を実施するときを待つ。
【００７３】
（動作Ｃ）本実施形態のシステムは、以下の（条件Ｉ）（条件ＩＩ）の両方を満たすか判別する。
【００７４】
（条件Ｉ）移動情報テーブルにおいて、端末４０の識別子に関連する「現在、在圏するセルを示すセルＩＤ」（ＨＯ先セルを示すセルＩＤ）が、端末５０の識別子に関連する「現在在圏するセルを示すセルＩＤ」（ＨＯ先セルを示すセルＩＤ）と同じ。
【００７５】
（条件ＩＩ）移動情報テーブルにおいて、端末４０の識別子に関連する「１つ前に在圏したセルを示すセルＩＤ」（ＨＯ元セルを示すセルＩＤ）が、端末５０の識別子に関連する「１つ前に在圏したセルを示すセルＩＤ」（ＨＯ元セルを示すセルＩＤ）と同じ。
【００７６】
上述の判別は、ストーカーの端末４０が、被害者の端末５０と（同じＨＯ元のセルから）同じＨＯ先のセルにＨＯしているのかを判別するものである。
【００７７】
（５）動作５（危険が迫っていることを通知する動作）
上述の（条件Ｉ）（条件ＩＩ）の両方が満される場合、ストーカーの端末４０が被害者の端末５０の後についてＨＯしており、ストーカーが被害者の後をつけているので、本実施形態のシステムは、危険が迫っていることを被害者の端末５０に通知する。
【００７８】
以下、上述の動作１〜動作５の動作を、実際のストーカーの動きや被害者の動きを交えながら、より詳しく説明する。なお、以下の（動作詳細）では、各項の番号を（１）から振り直すものとする。上述の（動作の概略説明）に示した各項の番号とできるだけ合わせることで、少しでも読みやすくする為である。
【００７９】
（動作詳細）
図９〜図１２は、本発明の第１の実施の形態におけるシステムの動作詳細を説明する為の図である。
【００８０】
（１）動作１の詳細（端末４０、５０が位置登録したときの動作）
被害者は、勤務先（基地局２０配下のセルＡ内にある）で働いており、被害者の保持する端末５０がセルＡに在圏して周知の位置登録処理を実施したとする。
【００８１】
（１−１）端末５０の動作
位置登録処理を実施したとき、被害者の端末５０は、図９に示されるように、周知の位置登録メッセージを、セルＡの基地局２０に送信する（Ｓ１）。
【００８２】
なお、端末５０は、上述の周知の位置登録メッセージに、端末５０のＩＭＳＩを含めて送信する。周知の位置登録メッセージは、例えば、３ＧＰＰに規定されるＲＲＣ  Ｃｏｎｎｅｃｔｉｏｎ  Ｒｅｑｕｅｓｔ（Ｅｓｔａｂｌｉｓｈ  ＣａｕｓｅにＲｅｇｉｓｔｒａｔｉｏｎを含む）メッセージである。
【００８３】
（１−２）基地局２０の動作
次に、基地局２０は、端末５０から周知の位置登録メッセージを受信すると、一般的な基地局と同様、受信した周知の位置登録メッセージを制御装置１０に送信する（Ｓ２）。
【００８４】
このとき、基地局２０は、制御装置１０に送信される位置登録メッセージに、自身に備わるセルＡを示すセルＩＤを付与する。
【００８５】
（１−３）制御装置１０の動作
次に、制御装置１０の通信部１０４は、基地局２０から位置登録メッセージを受信すると、受信した位置登録メッセージを移動情報更新部１０５に出力する（Ｓ３）。
【００８６】
次に、移動情報更新部１０５は、位置登録メッセージが入力されると、入力された位置登録メッセージからＩＭＳＩと在圏するセルＡを示すセルＩＤを抽出する（Ｓ４）。
【００８７】
次に、移動情報更新部１０５は、ＩＭＳＩ等を抽出すると、抽出したＩＭＳＩが被害者端末登録部１００、若しくは追従者端末登録部１０１に記憶されるＩＭＳＩなのか否かを判別する（Ｓ５）。
【００８８】
上述のＳ５の判別は、抽出したＩＭＳＩが、被害者の端末５０、ストーカーの端末４０のＩＭＳＩか否かを判別している。端末４０と端末５０のＩＭＳＩとセルＩＤのみを移動情報テーブルに登録する為である。
【００８９】
次に、移動情報更新部１０５は、抽出したＩＭＳＩが被害者端末登録部１００、若しくは追従者端末登録部１０１に記憶される場合（Ｓ５でＹｅｓの場合）、抽出したＩＭＳＩと、在圏するセルＡを示すセルＩＤと、を移動情報記憶部１０３に出力する（Ｓ６）。
【００９０】
抽出したＩＭＳＩは端末５０のＩＭＳＩであり、被害者端末登録部１００には、端末５０のＩＭＳＩが記憶されているので、Ｓ６が実施されたものとして説明を続ける。
【００９１】
次に、移動情報記憶部１０３は、端末５０のＩＭＳＩとセルＩＤが入力されると、その端末５０のＩＭＳＩと、セルＡを示すセルＩＤと、を関連づけて移動情報テーブルに登録する（Ｓ７）。
【００９２】
なお、登録の際、移動情報記憶部１０３は、上述の「セルＡを示すセルＩＤ」を、「現在、在圏するセルを示すセルＩＤ」として登録する。
【００９３】
上述のＳ１〜Ｓ７により、移動情報テーブルには、被害者の端末５０のＩＭＳＩと、端末５０が在圏するセルＡを示すセルＩＤと、が関連づけて登録される。
【００９４】
なお、上述のＳ５において、抽出したＩＭＳＩが被害者端末登録部１００、若しくは追従者端末登録部１０１に記憶されていない場合（Ｓ５でＮｏの場合）には、移動情報更新部１０５は、上述のＳ６を実施せず、次にメッセージが入力されるのを待つ。
【００９５】
（１−４）端末４０に関する動作（ストーカー行為の開始）
次に、ストーカーが、被害者の勤務先前（基地局２０配下のセルＡ内）で被害者の待ち伏せを始め、ストーカーの端末４０がセルＡに在圏することで周知の位置登録処理を実施したとする。
【００９６】
ストーカーの端末４０は、被害者の端末５０と同様に上述のＳ１の処理を実施し、基地局２０と制御装置１０は、上述のＳ２〜Ｓ７を実施する。
【００９７】
その結果、移動情報テーブルには、図６に示されるように、ストーカーの端末４０のＩＭＳＩと、端末４０が在圏するセルＡを示すセルＩＤと、が関連づけて登録される。なお、上述の「（１−３）制御装置１０の動作」で説明した通り、移動情報テーブルには、被害者の端末５０のＩＭＳＩと、端末５０が在圏するセルＡを示すセルＩＤも登録されている。図６では、端末４０のＩＭＳＩを「ｘｘｘｘｘｘｘｘｘｘｘｘｘｘ１」と、端末５０のＩＭＳＩを「ｘｘｘｘｘｘｘｘｘｘｘｘｘｘ２」と記載した。
【００９８】
（１−５）ＲＲＣ接続の確立
なお、図示していないが、端末４０、５０は、上述のＳ７の後、３ＧＰＰに従い、制御装置１０の移動情報更新部１０５との間でＲＲＣ（Ｒａｄｉｏ  Ｒｅｓｏｕｒｃｅ  Ｃｏｎｔｒｏｌ）接続を確立させる。
【００９９】
ＲＲＣ接続を確立する過程で、制御装置１０の移動情報更新部１０５は、端末４０、５０各々からＲＲＣ  Ｃｏｎｎｅｃｔｉｏｎ  Ｒｅｑｕｅｓｔ（Ｅｓｔａｂｌｉｓｈ  ＣａｕｓｅにＯｒｉｇｉｎａｔｉｎｇを含む）メッセージを受信する。移動情報更新部１０５は、上述のＲＲＣ  Ｃｏｎｎｅｃｔｉｏｎ  Ｒｅｑｕｅｓｔメッセージを受信すると、受信したメッセージから端末のＩＭＳＩと呼番号を抽出し、それらを対応づけて自身に備わるメモリに記憶する。呼番号は、ＲＲＣ  Ｃｏｎｎｅｃｔｉｏｎ  Ｒｅｑｕｅｓｔメッセージを送信した端末に係る一連のメッセージに共通して含まれる番号である。
【０１００】
上述のように、移動情報更新部１０５は、端末４０、５０各々から受信した上述のＲＲＣ  Ｃｏｎｎｅｃｔｉｏｎ  Ｒｅｑｕｅｓｔメッセージを基に、端末４０のＩＭＳＩと呼番号（例えば１）、端末５０のＩＭＳＩと呼番号（例えば２）を各々対応づけて記憶する。後述の「（２−３）端末を示すＩＭＳＩの取得」で、記憶した呼番号を基に、端末４０、５０のＩＭＳＩを取得することができるようにする為である。
【０１０１】
次の動作を説明する。
【０１０２】
（２）動作２の詳細（被害者の端末５０にハンドオーバ制御したときの動作）
その後、被害者は仕事を終え、勤務先を退社したとする。そのとき、ストーカーは、勤務先の建物からでてきた被害者を見つけ、無言で追いかけ始める。被害者は、（基地局３０のセルＢ内の）自宅に向かい、やがて、基地局３０のセルＢ内に位置する。
【０１０３】
上述の場合、被害者の持つ端末５０も基地局３０のセルＢ内に位置する。そのとき、制御装置１０の移動情報更新部１０５は、端末５０に対し、セルＢへのＨＯ制御を行う。
【０１０４】
（２−１）セルＢへのＨＯ制御についての補足
制御装置１０の移動情報更新部１０５は、セルＢへの周知のＨＯ制御を行うにあたり、一般的な移動体通信システムの制御装置と同様、以下の動作を行っている。
【０１０５】
すなわち、制御装置１０の移動情報更新部１０５は、端末５０から基地局２０を介して周知の測定結果メッセージを繰り返し受信する。周知の測定結果メッセージには、（端末５０が測定した）セルＡにおける通信品質やセルＢにおける通信品質が含まれている。制御装置１０の移動情報更新部１０５は、周知の測定結果メッセージを受信する度に、セルＢにおける通信品質がセルＡにおける通信品質よりも良いかを確認する。制御装置１０の移動情報更新部１０５は、（基地局３０のセルＢ内に位置し、）セルＢにおける通信品質がセルＡにおける通信品質よりも良いときに、端末５０に対してセルＢへの周知のＨＯ制御を実施する。
【０１０６】
上述の周知の測定結果メッセージは、例えば、３ＧＰＰに規定されるＭｅａｓｕｒｅｍｅｎｔ  Ｒｅｐｏｒｔメッセージであってもよい。周知の測定結果報告メッセージには呼番号が含まれる。
【０１０７】
（２−２）移動情報テーブル変更動作
制御装置１０の移動情報更新部１０５は、端末５０に対して、セルＢへのＨＯ制御を行うと、図１０に示されるように、端末５０を示すＩＭＳＩと、ＨＯ先のセルＢを示すセルＩＤを移動情報記憶部１０３に出力する（Ｓ１０）。
【０１０８】
次に、移動情報記憶部１０３は、端末５０を示すＩＭＳＩと、ＨＯ先のセルＢを示すセルＩＤが入力されると、移動情報テーブルを更新する（Ｓ１１）。
【０１０９】
具体的には、移動情報記憶部１０３は、移動情報テーブルにおいて、端末５０を示すＩＭＳＩに関連する「現在、在圏するセルを示すセルＩＤ」（セルＡを示すセルＩＤ）を、「１つ前に在圏したセルを示すセルＩＤ」に登録する。次に、移動情報記憶部１０３は、図７に示されるように、端末５０を示すＩＭＳＩに関連する「現在、在圏するセルを示すセルＩＤ」に、ＨＯ先のセルＢを示すセルＩＤを登録する。
【０１１０】
（２−３）端末を示すＩＭＳＩの取得（上述のＳ１０の処理についての補足）
ここで、上述のＳ１０の処理について補足しておく。
【０１１１】
上述のＳ１０の処理において、移動情報更新部１０５は、端末５０を示すＩＭＳＩを取得したが、以下の通りに、取得してもよい。
【０１１２】
すなわち、制御装置１０の移動情報更新部１０５は、端末５０に対して、ＨＯ制御を行うと、その制御直前に（端末５０から）受信した測定結果報告メッセージから呼番号を抽出する。移動情報更新部１０５は、自身に備わるメモリの中から、抽出した呼番号に対応するＩＭＳＩを抜きだす。上述のメモリには、上述の「上述の「（１−５）ＲＲＣ接続の確立」で説明した通り、端末５０に係る呼番号と、端末５０を示すＩＭＳＩと、が対応づけられて記憶されている。移動情報更新部１０５は、メモリの中から端末５０を示すＩＭＳＩを抜き出し、取得する。移動情報更新部１０５は、取得した端末５０を示すＩＭＳＩを移動情報記憶部１０３に出力する。
【０１１３】
なお、上述のメモリには、本実施形態のシステムの管理者によって、「セルＡを示すセルＩＤ」や「セルＢを示すセルＩＤ」が予め設定されていてもよい。その場合、移動情報更新部１０５は、セルＢへのＨＯ制御時に、ＨＯ先のセルＢを示すセルＩＤを、自身に備わる上述のメモリから取得して移動情報記憶部１０３に出力する。
【０１１４】
（２−４）変更した後の移動情報テーブルについて
上述の「（２−２）移動情報テーブル変更動作」（すなわち、上述のＳ１０、Ｓ１１の処理）により、移動情報テーブルは、図７に示される通りとなる。すなわち、端末５０を示すＩＭＳＩに関連する「現在、在圏するセルを示すセルＩＤ」には、（ＨＯ先のセルである）セルＢを示すセルＩＤが登録される。また、端末５０を示すＩＭＳＩに関連する「１つ前に在圏したセルを示すセルＩＤ」には、（ＨＯ元のセルである）セルＡを示すセルＩＤが登録される。つまり、移動情報記憶部１０３には、端末５０の、ＨＯ先のセルＢを示すセルＩＤと、ＨＯ元のセルＡを示すセルＩＤと、が記憶される。
【０１１５】
（２−５）時間計測動作
次に、上述のＳ１０の後、移動情報記憶部１０３は、図１０に示されるように、タイマ開始信号をタイマ部１０６に出力する（Ｓ１２）。
【０１１６】
次に、タイマ部１０６は、タイマ開始信号が入力されると、自身に備わる計時機能（以下、「タイマ」という）を起動し、時間の計測を開始する（Ｓ２０）。
【０１１７】
上述のＳ１２、Ｓ２０により、被害者の端末５０にＨＯ制御を実施してからの時間の計測が開始される。
【０１１８】
次に、タイマ部１０６は、タイマにより計測される時間が、所定時間経過したか否かを判別する（Ｓ２１）。
【０１１９】
次に、タイマ部１０６は、タイマにより計測される時間が、所定時間経過していない場合（Ｓ２１でＮｏの場合）は、時間の計測を継続し、再度上述のＳ２１の判別を行う。
【０１２０】
一方、タイマ部１０６は、タイマにより計測される時間が、所定時間経過した場合（Ｓ２１でＹｅｓの場合）は、タイマを停止し、タイマ満了信号を移動判定部１０７に出力する（Ｓ２２）。
【０１２１】
すなわち、タイマ部１０６は、時間の計測を停止し、被害者の持つ端末５０に対してハンドオーバ制御してから所定時間経過したことを、タイマ満了信号にて移動判定部１０７に通知する。タイマ満了信号は、後述の「（４）動作４の詳細」において、ストーカーの端末４０が被害者の端末５０の後についてハンドオーバしたのかを判別するのに使用される。
【０１２２】
また、上述の所定時間は、本実施形態のシステムの管理者によってタイマ部１０６に設定される。本実施形態のシステムの管理者は、ストーカーの端末４０が被害者の端末５０の後をついていっていると考えられる時間（例えば、３０秒）を所定時間として設定する。
【０１２３】
なお、上述のタイマ部１０６は、後述の「（５）動作５の詳細」で説明するが、タイマ解除信号が移動判定部１０７から入力されると、タイマを停止するものとする（Ｓ２３）。
【０１２４】
（３）動作３の詳細（ストーカーの端末４０にハンドオーバ制御したときの動作）
被害者は、基地局３０のセルＢ内に入り、自宅に向かっているが、その後をついていくストーカーも、基地局３０のセルＢ内に入る。
【０１２５】
上述の場合、ストーカーの持つ端末４０も基地局３０のセルＢ内に入る。そのとき、制御装置１０の移動情報更新部１０５は、被害者の端末５０と同様、ストーカーの端末４０に対し、セルＢへのハンドオーバ制御を行う。ストーカーは、刃物を取り出し、被害者に被害を与えようと考えている。
【０１２６】
（３−１）移動情報テーブル変更動作
制御装置１０の移動情報更新部１０５は、端末４０に対して、セルＢへのハンドオーバ制御を行うと、上述のＳ１０と同様に、端末４０を示すＩＭＳＩと、ハンドオーバ先のセルＢを示すセルＩＤを移動情報記憶部１０３に出力する（Ｓ１３）。図１０に示される通りである。
【０１２７】
次に、移動情報記憶部１０３は、端末４０を示すＩＭＳＩと、ＨＯ先のセルＢを示すセルＩＤが入力されると、移動情報テーブルを更新する（Ｓ１１）。
【０１２８】
（３−２）変更した後の移動情報テーブルについて
上述の「（３−１）移動情報テーブル変更動作」（すなわち、上述のＳ１３、Ｓ１１の処理）により、移動情報テーブルは、図８に示される通りとなる。すなわち、端末４０を示す端末識別子（ＩＭＳＩ）に関連する「現在、在圏するセルを示すセルＩＤ」には、（ＨＯ先のセルである）セルＢを示すセルＩＤが登録される。また、端末４０を示す端末識別子（ＩＭＳＩ）に関連する「１つ前に在圏したセルを示すセルＩＤ」には、（ＨＯ元のセルである）セルＡを示すセルＩＤが登録される。
【０１２９】
移動情報テーブルには、端末４０、５０毎に、ＨＯ先のセルＢを示すセルＩＤと、ＨＯ元のセルＡを示すセルＩＤと、が記憶される。
【０１３０】
（３−３）端末４０のＨＯ通知動作
次に、上述のＳ１３の後、移動情報更新部１０５は、ストーカーの端末４０がＨＯしたことを示すストーカーＨＯ信号を移動判定部１０７に出力する（Ｓ１４）。
【０１３１】
（３−４）上述のＳ１２と、上述のＳ１４について
移動情報記憶部１０３は、ＨＯ制御を行ったのが端末４０か、端末５０かによって、上述のＳ１２、Ｓ１４のいずれかを行っている。
【０１３２】
移動情報記憶部１０３は、ＨＯ制御を行ったのが端末４０か、端末５０かを以下の通りに判別して、上述のＳ１２、Ｓ１４のいずれかを行ってもよい。
【０１３３】
すなわち、移動情報記憶部１０３は、上述の「（２−３）端末を示すＩＭＳＩの取得」で説明した通り、上述のＳ１０で、ＨＯ制御を行った端末のＩＭＳＩを取得し、取得した端末のＩＭＳＩが被害者端末登録部１００に登録されているか否か判別する。取得した端末のＩＭＳＩが被害者端末登録部１００に登録されていれば、（ＨＯ制御を行ったのが端末５０であり）上述のＳ１２を実施する。同様に、移動情報記憶部１０３は、取得した端末のＩＭＳＩが追従者端末登録部１０１に登録されているか判別し、取得した端末のＩＭＳＩが追従者端末登録部１０１に登録されていれば、（ＨＯ制御を行ったのが端末４０であり）上述のＳ１４を実施してもよい。なお、移動情報記憶部１０３は、取得した端末のＩＭＳＩが被害者端末登録部１００、追従者端末登録部１０１のいずれにも登録されていない場合には、何もせず、次に上述の動作１〜動作３を実施するタイミングを待つ。
【０１３４】
（４）動作４の詳細（ストーカーの端末４０が被害者の端末５０の後についてハンドオーバしたのかを判別する動作の詳細）
上述のＳ１４の後、移動判定部１０７には、ストーカーＨＯ信号が入力される。
【０１３５】
移動判定部１０７は、ストーカーＨＯ信号が入力されると、図１１に示されるように、該ストーカーＨＯ信号が、タイマ満了信号が入力されるまでに（すなわち、被害者の端末５０にＨＯ制御してから所定時間経過するまでに）入力されたのか否か判別する（Ｓ４０）。
【０１３６】
具体的には、移動判定部１０７は、ストーカーＨＯ信号が入力されると、タイマ満了フラグの値が０であるか否かを判別する。
【０１３７】
上述のタイマ満了フラグは、タイマ満了信号が入力されたかどうかを示すレジスタであり、その初期値は０である。移動判定部１０７は、タイマ満了信号が入力されると、図１１の右図のように、タイマ満了フラグ（レジスタ）の値を１とする（Ｓ５０）。上述のＳ５０の処理は、割り込み処理であり、他の処理よりも優先して行われる。移動判定部１０７は、上述のＳ４０において、タイマ満了信号が入力されるまでにストーカーＨＯ信号が入力されたのかを、タイマ満了フラグの値がまだ０であるかどうかを確認することによって判別する。
【０１３８】
次に、上述のＳ４０の後、移動判定部１０７は、タイマ満了フラグの値が０である場合（Ｓ４０でＹｅｓの場合）、すなわち被害者の端末５０にＨＯ制御後にストーカーの端末４０にＨＯ制御した場合、移動情報テーブルを移動情報記憶部１０３から読み出す（Ｓ４１）。
【０１３９】
次に、移動判定部１０７は、端末４０、５０のＩＭＳＩを、被害者端末登録部１００、追従者端末登録部１０１から取得する（Ｓ４２）。
【０１４０】
次に、移動判定部１０７は、端末４０、５０のＩＭＳＩ毎に、関連する「現在在圏するセルを示すセルＩＤ」（ＨＯ先セルを示すセルＩＤ）と「１つ前に在圏したセルを示すセルＩＤ」（ＨＯ元セルを示すＩＤ）を移動情報テーブルから読み出す（Ｓ４３）。
【０１４１】
次に、移動判定部１０７は、（読み出した端末４０に関する）ＨＯ元のセルを示すセルＩＤ及びＨＯ先のセルを示すセルＩＤが、（読み出した被害者の端末５０に関する）ＨＯ元のセルを示すセルＩＤ及びＨＯ先のセルを示すセルＩＤと同じか判別する（Ｓ４４）。
【０１４２】
具体的には、移動判定部１０７は、以下の（条件ｉ）（条件ｉｉ）の両方を満たすか判別する。
【０１４３】
（条件ｉ）読み出した端末４０のＩＭＳＩに関連する「現在、在圏するセルを示すセルＩＤ」（ＨＯ先セルＢを示すセルＩＤ）が、読み出した端末５０のＩＭＳＩに関連する「現在、在圏するセルを示すセルＩＤ」（ＨＯ先セルＢを示すセルＩＤ）と同じ。
【０１４４】
（条件ｉｉ）読み出した端末４０のＩＭＳＩに関連する「１つ前に在圏したセルを示すセルＩＤ」（ＨＯ元セルＡを示すセルＩＤ）が、読み出した端末５０のＩＭＳＩに関連する「１つ前に在圏したセルを示すセルＩＤ」（ＨＯ元セルＡを示すセルＩＤ）と同じ。
【０１４５】
条件を満たす場合には、ストーカーの端末４０が、被害者の端末５０と（同じハンドオーバ元セルから）同じハンドオーバ先にＨＯしたとみなせる。
【０１４６】
（５）動作５の詳細（危険が迫っていることを通知する動作）
次に、移動判定部１０７は、上述の（条件ｉ）（条件ｉｉ）を満たす場合（Ｓ４４でＹｅｓの場合）には、ストーカーの端末４０が、被害者の端末５０の後をついてＨＯしており、被害者に危険が迫っているので、その旨を被害者の端末５０に通知する（Ｓ４５）。
【０１４７】
次に、移動判定部１０７は、被害者に危険が迫っている旨を端末５０に通知した場合、若しくは、上述のタイマ満了フラグの値が０でない場合（Ｓ４０でＮｏの場合）には、タイマ解除信号をタイマ部１０６に出力し、タイマ満了フラグの値を０とする（Ｓ４６）。
【０１４８】
タイマ部１０６で計測される時間は、上述のＳ４０の判別を行う為のものであり、Ｓ４４の時点で、必要ない。その為、移動判定部１０７は、タイマ解除信号をタイマ部１０６に出力して、タイマ部１０６での時間計測を停止する。タイマ解除信号が入力されたタイマ部１０６は、上述のＳ２３の通り、時間の計測を停止する。
【０１４９】
なお、移動判定部１０７は、上述の（条件ｉ）（条件ｉｉ）を満たない場合（Ｓ４４でＮｏの場合）にも、上述のＳ４６を実施する。
【０１５０】
（５−１）上述のＳ４５（被害者に危険が迫っている旨を端末５０に通知する処理）の詳細について
上述のＳ４５の通知処理は、以下の「（５−１−１）」「（５−１−２）」の通りに実現してもよい。
【０１５１】
（５−１−１）Ｓ４５の処理の実現（その１）
移動判定部１０７は、上述の（条件ｉ）（条件ｉｉ）を満たす場合（Ｓ４４でＹｅｓの場合）には、図１２に示されるように、通知先番号登録部１０２から通知先（すなわち、被害者の保持する端末５０）の電話番号とメールアドレスを取得する（Ｓ４５０）。
【０１５２】
次に、移動判定部１０７は、音声ガイダンス部１０９に、取得した端末５０の電話番号を出力する（Ｓ４５１）。
【０１５３】
次に、音声ガイダンス部１０９は、自身に備わる一般的な電話機能によって、取得した電話番号の端末５０に対して発信を行う（Ｓ４５２）。
【０１５４】
次に、音声ガイダンス部１０９は、発信後、端末５０との間でコネクションが確立すると、（コネクション確立した旨を示すメッセージが端末５０から通知されると、）自身に予め登録されているメッセージを端末５０に送信する（Ｓ４５３）。
【０１５５】
登録されているメッセージは、「ストーカーがついてきています。危険です。避難して下さい」というメッセージを含む音声データであってもよい。この音声データは、ストーカーにつけられて、危険を知らせるものであれば、どのようなデータであってもよい。なお、音声ガイダンス部１０９は、音声データを電気信号とし、（基地局３０を介して）端末５０に送信する。送信される電気信号は、危険が迫っていることを示す危険信号である。
【０１５６】
端末５０は、図示していないが、音声ガイダンス部１０９から電気信号を受信すると、受信した電気信号を、自身に備わる電磁石で振動に変換し、自身に備わる振動版で音に変換する。その結果、上述のメッセージが音として流れ、被害者に危険が迫ってきていることを知らせる。
【０１５７】
なお、上述の音声ガイダンス部１０９は、留守電に繋がった場合であってもメッセージを流し続けるが、一般的な留守電電話検知機能を備え、留守電電話検知機能により留守電に繋がったことを検知した場合には、メッセージを流すのを止めてもよい。
【０１５８】
さらに、移動判定部１０７は、上述のＳ４５１の後、図１２に示されるように、取得したメールアドレスをメール送信部１０８に出力してもよい（Ｓ４５４）。
【０１５９】
その場合、メール送信部１０８は、自身に備わるメーラーにより、取得したメールアドレスに対して、危険であることを示すメールを送信する（Ｓ４５５）。
【０１６０】
（５−１−２）Ｓ４５の処理の実現（その２）
さらに、上述のＳ４５は、以下のようにも実施してもよい。
【０１６１】
まず、移動判定部１０７は、端末５０宛ての周知のＲＲＣメッセージを作成する。移動判定部１０７は、作成したＲＲＣメッセージに、危険であることを示す識別子（以下、「危険識別子」という）を含める。移動判定部１０７は、作成したＲＲＣメッセージを、基地局２０を介して端末５０に送信する。その際、基地局２０は、ＲＲＣメッセージを、３ＧＰＰの規定に従った無線信号にして端末５０に送信する。
【０１６２】
端末５０は、３ＧＰＰの規定に従って、無線信号からＲＲＣメッセージを抽出する。また、端末５０は、抽出したＲＲＣメッセージの中に危険識別子が含まれていることを検出する一般的なアプリケーションと、電気信号が入力されると振動するバイブレーション機能を備えている。端末５０に備わるアプリケーションは、抽出したＲＲＣメッセージから危険識別子を取得すると、端末５０のバイブレータ機能に所定のパターンで電気信号を入力し、端末５０を所定のパターンで振動させてもよい。
【０１６３】
被害者は、端末５０が所定のパターンで振動することで、ストーカーが後をついてきていることを知ることができる。
【０１６４】
なお、上述のアプリケーションは、本実施形態の制御装置１０を備えるシステムの管理者等によって製造され、被害者が予め端末５０にインストールしてもよい。
【０１６５】
（６）その他の構成例について
図１３は、本発明の第１の実施の形態におけるシステムのその他の構成例を示す図である。
【０１６６】
本実施形態のシステムは、図１３に示されるように、警察の端末７０を備えてもよい。警察の端末７０は、警察署に設置される一般的な電話機である。
【０１６７】
警察の端末７０を備える場合、本実施形態のシステムは、上述のＳ４５において、被害者に危険が迫っていることを警察の端末７０にも通知する。
【０１６８】
その為に、通知先番号登録部１０２には、警察の電話番号（１１０番）が本実施形態のシステムの管理者によって設定される。さらに、追従者端末登録部１０１には、本実施形態のシステムの管理者により、ストーカーの名前や住所等の情報が音声データ（以下、「ストーカー関連の音声データ」という）して蓄えられる。
【０１６９】
また、制御装置１０の移動判定部１０７は、上述のＳ４５０において、警察の電話番号（１１０番）を通知先番号登録部１０２から取得し、取得した警察の電話番号（１１０番）を、上述のＳ４５１にて、音声ガイダンス部１０９に出力する。警察の電話番号（１１０番）が入力された音声ガイダンス部１０９は、上述のＳ４５２において、追従者端末登録部１０１から上述のストーカー関連の音声データを取得する。音声ガイダンス部１０９は、音声データを取得すると、自身に備わる電話機能によって、警察の電話番号（１１０番）の端末７０に対して発信を行い、警察の端末７０とコネクションを確立した後、取得したストーカー関連の音声データを音声として出力する。その音声を聞いた警察は、被害者の自宅にかけつけることができる。
【０１７０】
なお、上述の端末７０は、セキュリティー会社の端末であってもよい。その場合、通知先番号登録部１０２には、セキュリティー会社の電話番号が本実施形態のシステムの管理者によって設定される。
【０１７１】
上記では、本実施形態の制御装置１０を備えるシステムは、２台の端末のみを備えたが、２台以上、備わっていてもよい。
【０１７２】
［効果の説明］
本実施形態によれば、ストーカー被害者は、ストーカーが自分の後をつけてきていることが分かり、ストーカー事件を回避することができる。
【０１７３】
なぜならば、本実施形態のシステムは、被害者の端末にＨＯ制御した後にストーカーの端末にもＨＯ制御したとき、ストーカーの端末のＨＯ元セルとＨＯ先セルが被害者の端末のそれと同じかを判別し、同じ場合には、被害者の端末に危険信号を出力するからである。すなわち、本実施形態のシステムは、被害者の端末がＨＯした後にストーカーの端末もＨＯしたとき、ストーカーの端末が、被害者の端末と（同じＨＯ元セルから）同じＨＯ先セルにＨＯしているかを判別し、該当する場合、危険を知らせる信号を出力するからである。
【０１７４】
上述の危険信号を受け取った被害者の端末は、ストーカーにつけられていることを被害者に対して知らせる処理を行うことができる。
【０１７５】
その結果、被害者は、ストーカー被害者は、ストーカーが自分の後をつけてきていることが分かるので、近くの交番に駆け込む等の行動を起こすことができ、事件を回避することができる。
【０１７６】
≪第２の実施の形態≫
図１４は、本発明の第２の実施の形態におけるシステムの構成例を示す図である。以下に、第２の実施の形態のシステムの構成と動作について説明する。
【０１７７】
［構成の説明］
（１）第２の実施形態のシステムの構成
第２の実施形態のシステムは、図１４に示されるように、第１の移動端末５０１、第２の移動端末５０２、及び制御装置６００を備える。第１の移動端末５０１、第２の移動端末５０２と制御装置６００は、有線回線、無線回線のいずれか、または両方にて接続される。
【０１７８】
制御装置６００は、図示していないが、基地局を介して第１の移動端末５０１、第２の移動端末５０２と接続されてもよい。その場合、制御装置６００と基地局間は有線回線で接続され、基地局と移動端末５０１、５０２間は無線回線で接続される。
【０１７９】
また、制御装置６００は、接続する第１の移動端末５０１と第２の移動端末５０２に対してハンドオーバ制御を行う装置である。制御装置６００は、ＲＮＣ（Ｒａｄｉｏ  Ｎｅｔｗｏｒｋ  Ｃｏｎｔｒｏｌｌｅｒ）装置であってもよいし、基地局に含まれていてもよい。
【０１８０】
本実施形態の制御装置６００は、更新記憶部６０１と判定通知部６０２を備える。更新記憶部６０１は、判定通知部６０２に接続される。
【０１８１】
[動作の説明]
本実施形態のシステムの動作を説明する。ハンドオーバは、第１の実施形態のシステムの説明と同様、「ＨＯ」という。
【０１８２】
（１）第１の移動端末５０１に対してＨＯ制御を行ったとき
まず、本実施形態のシステムに備わる制御装置６００が、第１の移動端末５０１に対して（例えば、セルＡからセルＢへの）ＨＯ制御を実施したとする。
【０１８３】
そのとき、制御装置６００の更新記憶部６０１は、第１の移動端末５０１につき、ＨＯ前後の所属セルＡ、Ｂに各々対応する事前及び事後識別セル情報ａ、ｂを記憶する。
【０１８４】
上述の「ＨＯ前後の所属セルＡ、Ｂ」は、ＨＯ元セルＡとＨＯ先セルＢのことであってもよい。
【０１８５】
（２）第２の移動端末５０２に対してハンドオーバ制御を行ったとき
次に、本実施形態の制御装置６００が、第２の移動端末５０２に対して（例えばセルＡからセルＢへの）ＨＯ制御を実施したとする。
【０１８６】
そのとき、制御装置６００の更新記憶部６０１は、第２の移動端末５０２につき、ＨＯ前後の所属セルＡ、Ｂに各々対応する事前及び事後識別セル情報ａ、ｂを記憶する。
【０１８７】
（３）危険通知動作
次に、制御装置６００の判定通知部６０２は、（制御装置６００により）第１の移動端末５０１に対してＨＯ制御が実施されてから、所定の時間より短い時間後れて第２の移動端末に対してハンドオーバ制御が実施された場合、以下の送信動作を行う。
【０１８８】
（送信動作）
判定通知部６０２は、更新記憶部６０１から読み出された事前及び事後識別セル情報ａ、ｂの各々が第１及び第２の移動端末５０１、５０２につき一致しているとき、第１の移動端末５０１に所定の危険信号を送信する。
【０１８９】
（４）上述の危険通知動作について
上述の危険通知動作は、第１の移動端末５０１がＨＯした後、所定の時間内に第２の移動端末５０２がＨＯしたとき、ＨＯした移動端末５０１、５０２のＨＯ元セルとＨＯ先セルが各々同じときに、第１の移動端末５０１に危険信号を送信することを行う動作である。
【０１９０】
すなわち、上述の危険通知動作は、第２の移動端末５０２（の保持者であるストーカー）が第１の移動端末５０１（の保持者である被害者）をつけられている場合に、第１の移動端末５０１に所定の危険信号を送信することを行う動作である。
【０１９１】
なお、上述の所定の時間は、本実施形態のシステムの管理者によって判定通知部６０２に設定される。本実施形態のシステムの管理者は、第２の移動端末５０２が第１の移動端末５０１の後をつけていっていると考えられる時間（例えば、３０秒）を所定の時間として設定する。
【０１９２】
（４）第１の移動端末５０１の動作
第１の移動端末は、制御装置１０の更新記憶部６０１から危険信号が入力されると、つけられていることを保持者に知らせる所定の処理を行う。
【０１９３】
上述の所定の処理は、「ストーカーがついてきています。危険です」という音声を出力するものであってもよい。
【０１９４】
第１の移動端末を保持する被害者は、ストーカーが自身の後をついてきていることが分かり、直近に危険が迫っていることを知ることができる。
【０１９５】
なお、第１の移動端末は、所定の危険信号が入力されると、防犯ブザーと同様、大きな音を鳴らし、ストーカーを寄せ付けない処理を行ってもよい。
【０１９６】
［効果の説明］
本実施形態によれば、ストーカー被害者は、ストーカーが自分の後をつけてきていることが分かり、ストーカー事件を回避することができる。
【０１９７】
なぜならば、本実施形態のシステムは、被害者の端末にＨＯ制御した後にストーカーの端末にもＨＯ制御したとき、ストーカーの端末のＨＯ元セルとＨＯ先セルが被害者の端末のそれと同じかを判別し、同じ場合には、被害者の端末に危険信号を出力するからである。すなわち、本実施形態のシステムは、被害者の端末がＨＯした後にストーカーの端末もＨＯしたとき、ストーカーの端末が、被害者の端末と（同じＨＯ元セルから）同じＨＯ先セルにＨＯしているかを判別し、該当する場合、危険を知らせる信号を出力するからである。
【０１９８】
上述の危険信号を受け取った被害者の端末は、ストーカーにつけられていることを被害者に対して知らせる処理を行うことができる。
【０１９９】
その結果、被害者は、ストーカー被害者は、ストーカーが自分の後をつけてきていることが分かるので、近くの交番に駆け込む等の行動を起こすことができ、事件を回避することができる。
【０２００】
なお、上述した実施の形態は、その形態に限定されるものではなく、実施段階ではその要旨を逸脱しない範囲で種々変更可能である。
【０２０１】
さらに、上記の各実施形態の一部又は全部は、以下の付記のようにも記載されうるが、以下には限られない。
（付記１）
接続する第１及び第２の移動端末につき、ハンドオーバ前後の所属セルに各々対応する事前及び事後識別セル情報を記憶する更新記憶部と、
前記第１の移動端末に対してハンドオーバ制御が実施されてから、所定の時間より短い時間後れて前記第２の移動端末に対してハンドオーバ制御が実施された場合、前記更新記憶部から読み出された前記事前及び事後識別セル情報の各々が前記第１及び第２の移動端末につき一致しているとき、前記第１の移動端末に所定の危険信号を送信する判定通知部と、を備える、
ことを特徴とする制御装置。
（付記２）
前記更新記憶部は、前記ハンドオーバ制御が実施されると、ハンドオーバ制御対象の前記移動端末に関連して、ハンドオーバ先セルに対応する所定の第１のセル識別子と、ハンドオーバ元セルに対応する所定の第２のセル識別子と、を記憶し、
前記判定通知部は、前記第１の移動端末に対して前記ハンドオーバ制御が実施された後、前記所定の時間以内に前記第２の移動端末に対して前記ハンドオーバ制御が実施されたとき、前記更新記憶部に記憶される、前記第１の移動端末に関連する前記第１のセル識別子及び前記第２のセル識別子と、前記第２の移動端末に関連する前記第１のセル識別子及び前記第２のセル識別子と、が同じである場合には、前記第１の移動端末に前記所定の危険信号を出力する、
ことを特徴とする付記１に記載の制御装置。
（付記３）
前記更新記憶部は、更新部と記憶部を備え、
前記更新部は、前記ハンドオーバ制御が実施されると、前記ハンドオーバ制御対象の前記移動端末を示す前記端末識別子と、前記所定の第１のセル識別子と、を出力し、
前記記憶部は、入力された前記端末識別子に対応づけて記憶する前記第１のセル識別子を前記第２のセル識別子とし、入力された前記端末識別子、入力された前記第１のセル識別子、及び前記第２のセル識別子を対応づけて記憶し、
前記判定通知部は、前記記憶部に記憶される、前記第１の移動端末の前記端末識別子に関連する前記第１のセル識別子及び前記第２のセル識別子と、前記第２の移動端末の前記端末識別子に関連する前記第１のセル識別子及び前記第２のセル識別子と、が同じである場合には、前記第１の移動端末に対し、前記危険信号を出力する、
ことを特徴とする付記２に記載の制御装置。
（付記４）
前記判定通知部は、第３の端末に対しても、前記所定の危険信号を出力する、
ことを特徴とする付記１乃至３のいずれか１項に記載の制御装置。
（付記５）
前記危険信号は、前記第１の端末の保持者が前記第２の端末の保持者につけられていることを示す信号である、
ことを特徴とする付記１乃至４のいずれか１項に記載の制御装置。
（付記６）
複数の移動端末と制御装置が接続され、
前記制御装置は、付記１乃至５のいずれか１項に記載の装置であり、
前記第１の移動端末は、前記危険信号が入力されると、つけられていることを保持者に知らせる所定の処理を行う端末である、
ことを特徴とする追従者検知システム。
（付記７）
前記第１の移動端末は、前記危険信号が入力されると、所定の音を発する端末である、
ことを特徴とする付記５に記載の追従者検知システム。
（付記８）
接続する第１及び第２の移動端末につき、ハンドオーバ前後の所属セルに各々対応する事前及び事後識別セル情報を記憶する更新記憶ステップと、
前記第１の移動端末に対してハンドオーバ制御が実施されてから、所定の時間より短い時間後れて前記第２の移動端末に対してハンドオーバ制御が実施された場合、前記更新記憶ステップにて記憶した前記事前及び事後識別セル情報の各々が前記第１及び第２の移動端末につき一致しているとき、前記第１の移動端末に所定の危険信号を送信する判定通知ステップと、を有する、
ことを特徴とする追従者検知方法。
（付記９）
更新記憶ステップは、前記ハンドオーバ制御が実施されると、ハンドオーバ制御対象の前記移動端末に関連して、ハンドオーバ先セルに対応する所定の第１のセル識別子と、ハンドオーバ元セルに対応する所定の第２のセル識別子と、を記憶し、
前記判定通知ステップは、前記第１の移動端末に対して前記ハンドオーバ制御が実施された後、前記所定の時間以内に前記第２の移動端末に対して前記ハンドオーバ制御が実施されたとき、前記更新記憶ステップにて記憶した、前記第１の移動端末に関連する前記第１のセル識別子及び前記第２のセル識別子と、前記第２の移動端末に関連する前記第１のセル識別子及び前記第２のセル識別子と、が同じである場合には、前記第１の移動端末に前記所定の危険信号を出力する、
ことを特徴とする付記８に記載の追従者検知方法。
（付記１０）
前記更新記憶ステップは、更新ステップと記憶ステップを有し、
前記更新ステップは、前記ハンドオーバ制御が実施されると、前記ハンドオーバ制御対象の前記移動端末を示す前記端末識別子と、前記所定の第１のセル識別子と、を出力し、
前記記憶ステップは、入力された前記端末識別子に対応づけて記憶する前記第１のセル識別子を前記第２のセル識別子とし、入力された前記端末識別子、入力された前記第１のセル識別子、及び前記第２のセル識別子を対応づけて記憶し、
前記判定通知ステップは、前記記憶ステップで記憶した、前記第１の移動端末の前記端末識別子に関連する前記第１のセル識別子及び前記第２のセル識別子と、前記第２の移動端末の前記端末識別子に関連する前記第１のセル識別子及び前記第２のセル識別子と、が同じである場合には、前記第１の移動端末に前記危険信号を出力する、
ことを特徴とする付記９に記載の追従者検知方法。
（付記１１）
前記判定通知ステップは、第３の端末に対しても、前記危険信号を出力する、
ことを特徴とする付記８乃至１０のいずれか１項に記載の追従者検知方法。
（付記１２）
前記危険信号は、前記第１の端末の保持者が前記第２の端末の保持者につけられていることを示す信号である、
ことを特徴とする付記８乃至１１のいずれか１項に記載の追従者検知方法。
（付記１３）
前記第１の端末は、ストーカー被害者の保持する端末であり、前記第２の端末は、ストーカーの保持する端末である、
ことを特徴とする付記１乃至５のいずれか１項に記載の制御装置。
（付記１４）
前記第３の端末は、警察に設置された端末である、
ことを特徴とする付記１乃至５のいずれか１項、又は付記１３に記載の制御装置。
【符号の説明】
【０２０２】
１０、６００    制御装置
２０、３０    基地局
４０、５０    端末
６０    移動体通信網
７０    端末
１００    被害者端末登録部
１０１    追従者端末登録部
１０２    通知先番号登録部
１０３    移動情報記憶部
１０４    通信部
１０５    移動情報更新部
１０６    タイマ部
１０７    移動判定部
１０８    メール送信部
１０９    音声ガイダンス部
５０１    第１の移動端末
５０２    第２の移動端末
６０１    更新記憶部
６０２    判定通知部
【図１】
2016066931.tif 000003
【図２】
2016066931.tif 000004
【図３】
2016066931.tif 000005
【図４】
2016066931.tif 000006
【図５】
2016066931.tif 000007
【図６】
2016066931.tif 000008
【図７】
2016066931.tif 000009
【図８】
2016066931.tif 000010
【図９】
2016066931.tif 000011
【図１０】
2016066931.tif 000012
【図１１】
2016066931.tif 000013
【図１２】
2016066931.tif 000014
【図１３】
2016066931.tif 000015
【図１４】
2016066931.tif 000016